(57)【要約】【課題】公共トイレの床、壁等に効率よく水、洗浄液等を撒くことができる散液装置を提供すること。【解決手段】散液装置１０は、先端部２２が閉じている筒状のノズル２０と、ノズル２０の開口した基部２１を回転自在に支える軸受３０と、軸受３０の内側に嵌合してノズル２０に連通している導管４０を備える。ノズル２０の外面２３と内面２４とを貫通する複数の散液孔２６が形成され、導管４０からノズル２０内に導かれた液を複数の散液孔２６から噴出させた場合に、この噴出する液の方向４６に対して反対の方向がノズル２０の回転中心軸２７から離れている。さらに、複数の散液孔２６から噴出する液の方向４６が、ノズル２０の先端部２２側に傾斜した方向およびノズル２０の基部２１側に傾斜した方向を含む。【選択図】　　　　図４
2004074099.tif 000002
【特許請求の範囲】
【請求項１】
先端部が閉じているノズルと、このノズルの開口した基部を回転自在に支承する軸受と、この軸受の内側に嵌合して前記ノズルに連通している導管とを備え、
前記ノズルの外面と内面とを貫通する複数の散液孔が形成され、前記導管から前記ノズル内に導かれた液を前記複数の散液孔から前記ノズルの外側に噴出させた場合に、この噴出する液の方向に対して反対の方向が前記ノズルの回転の中心軸から離れていることを特徴とする散液装置。
【請求項２】
請求項１に記載された散液装置であって、
複数の散液孔から噴出する液の方向が、ノズルの先端部側に傾斜した方向およびノズルの基部側に傾斜した方向を含むことを特徴とする散液装置。
【発明の詳細な説明】
【０００１】
【発明の属する技術分野】
本発明は洗浄用の散液装置に関し、特に公共トイレ等の室内を効率よく洗浄するのに適した散液装置に関するものである。
【０００２】
【従来の技術】
従来、公共トイレを洗浄するには、作業者が水を流しながら雑巾、モップ等で公共トイレの便器、床、壁等を清掃していた。（例えば、非特許文献１参照）。そして、公共トイレ内には臭いが充満しやすく、この充満したトイレの臭いを除くには、便器のみならず床、壁等を洗う必要があった。
【０００３】
【非特許文献１】
坂本菜子著「トイレ・スタイリング」株式会社ＩＮＡＸ発行、１９９２年４月２０日、ｐ．１８１−１８６
【０００４】
【発明が解決しようとする課題】
しかし、上記従来のトイレ清掃方法では、清掃用の水、洗浄液等を効率よく公共トイレの床、壁等に撒くことができないので、公共トイレ内を効率よく清掃して、その臭いを除去することが容易ではなかった。
そこで、本発明が解決しようとする課題は、公共トイレの床、壁等に効率よく水、洗浄液等を撒くのに適した散液装置を提供することである。
【０００５】
【課題を解決するための手段】
上記課題を解決するため、請求項１記載の発明は、先端部が閉じているノズルと、このノズルの開口した基部を回転自在に支承する軸受と、この軸受の内側に嵌合して前記ノズルに連通している導管とを備え、前記ノズルの外面と内面とを貫通する、複数の散液孔（散水孔を含む。）が形成され、前記導管から前記ノズル内に導かれた液（水を含む。）を前記複数の散液孔から前記ノズルの外側に噴出させた場合に、この噴出する液の方向に対して反対の方向が前記ノズルの回転の中心軸から離れていることを特徴とする散液装置である。
これにより、前記導管から前記ノズル内に導かれた液を前記複数の散液孔から前記ノズルの外側に噴出させた場合に、噴出する液の反作用による力を前記ノズルの回転中心方向の成分とこの成分に直交する方向の成分に分割することができ、前記ノズルの回転中心方向と直交する方向の成分による力のモーメントによって、前記ノズルが前記回転の中心軸を回転中心として回転する。
【０００６】
さらに、請求項２記載の発明は、上記請求項１に記載された発明において、複数の散液孔から噴出する液の方向が、ノズルの先端部側に傾斜した方向およびノズルの基部側に傾斜した方向を含むことである。
これにより、ノズルから噴出する液をノズルの先端側に傾斜した方向からノズルの基部側に傾斜した方向まで噴出させることができる。
【０００７】
【発明の実施の形態】
以下、本発明における実施の形態を図面に基づいて説明する。図１は、本発明の実施の形態に係わる散液装置の正面を示す。図２は、図１のＩＩ−ＩＩ断面を示し、図４は、図２のＩＶ−ＩＶ断面を示す。
図１において、散液装置１０は、先端部が閉じている筒状のノズル２０と、ノズル２０の基部２１を回転自在に支える軸受３０と、軸受３０の内側を挿通してノズル２０に連通している導管４０とを備えている。
【０００８】
図４において、ノズル２０は、その先端部２２が閉口している空洞２５を有する筒状に形成されている。ノズル２０は、その外面２３と内面２４とを貫通する複数の散液孔２６が形成されている。複数の散液孔２６は、ノズル２０の外面２３に散在するように形成されている。
ノズル２０の基部２１は開口され、この基部２１の内面２４の開口部位にはリング状の切欠孔２４ａが形成されている。切欠孔２４ａには、軸受３０（例えば、ころがり軸受）が嵌め込まれている。軸受３０の内側には、円筒状の導管４０が嵌め込まれている。さらに、導管４０の図示右側の端部（ノズル２０の外側に突出した端部）には、接続管４１が接続されている。この場合、導管４０の前記端部は、接続管４１の内側に嵌め込まれている。
【０００９】
図１において、接続管４１は板状の支持部材４３の孔４４に挿通され、接続管４１の図示右側の端部は、水道管４２に接続されている。この場合、接続管４１の図示右側の端部は、水道管４２の内側に嵌め込まれている。このため、導管４０は接続管４１を介して支持部材４３に取付けられている。
そして、ノズル２０の基部２１は軸受３０を介して導管４０に取付けられているので、導管４０の中心軸がノズル２０の回転中心軸２７となる。
【００１０】
図２において、導管４０からノズル２０の空洞２５に流込される水道水は、その水圧により、矢印４５の方向に流れて、複数の散液孔２６からノズル２０の外側に噴出する。矢印４６は噴出する水道水の方向を示す。このため、水道水をノズル２０の図示上下方向および左右方向の広い範囲に撒くことができる。
【００１１】
図４において、複数の散液孔２６から噴出する水道水の方向４６が、ノズル２０の先端部２２側に傾斜した方向およびノズル２０の基部２１側に傾斜した方向を含む。このため、水道水をノズル２０の基部２１側から先端部２２側の方向まで広い範囲にわたって撒くことができる。
【００１２】
図３は、図２のノズル２０の回転を説明している。すなわち、図３に示すように、各散液孔２６から噴出する水道水の方向に対して反対の方向がノズル２０の回転中心軸２７から離れているように指向して形成されている。そこで、矢印Ｆａは、図２の矢印４６の方向に水道水を噴出させる力のベクトルを示し、矢印Ｆｂは矢印Ｆａで示す力の反作用による力のベクトルを示す。そして、矢印Ｆｂａは矢印Ｆｂの力のベクトルのうち回転中心軸２７の方向の分力を示し、矢印Ｆｂｂは矢印Ｆｂの力のベクトルのうち回転中心軸２７の方向に直交する方向の分力を示す。矢印Ｆｂｂで示す力がノズル２０を回転中心軸２７のまわりにて矢印２８の方向に回転させる。このとき、矢印Ｆｂｂで示す力によるノズル２０を回転させる「力のモーメント」は、外面２３における散液孔２６の開口部と回転中心軸２７との距離と矢印Ｆｂｂで示す力との積である。なお、矢印Ｆｂａで示す力は、回転中心軸２７の方に向いているので、ノズル２０を回転させる力にならない。複数の散液孔２６における前記「力のモーメント」が加算されるようにすると、ノズル２０を回転させることが容易になる。
【００１３】
さらに、ノズル２０を回転させるのに、散水する水道水の反作用を利用しているので、モータ等の駆動源が不要である。このため、ノズル２０の構造が簡単で、その保守が容易となる。
【００１４】
図５は、散液装置１０を公共トイレに設置した例を示す。図５において、公共トイレ５０の壁５１に散液装置１０が配設されている。壁５１は図１における支持部材４３に相当する。水道管４２から供給された水道水を散液装置１０から噴出して、公共トイレ５０の壁５１、天井５２、床５４上に配置されたグレーチング５３および小便器５５等を洗浄することができる。このように、散液装置１０により公共トイレ５０の内部全体を洗浄することができ、この洗浄により、公共トイレ５０の内部に付着した異臭を除去することができる。
なお、６１は小便器５５を使用する人である。小便器５５は排出口５６に連通している。また、床５４は、その排出口５６側が低くなるように傾斜しているので、上記洗浄に使用した水道水は、排出口５６から図示しない下水道管に排出される。また、５７は地面である。
【００１５】
なお、上記実施の形態において、ノズル２０は筒状に形成されているが、ノズル２０の形状はこれに限定されないで、種々の形状にすることができる。例えば、筒状のノズル２０の先端部２２側を図１に二点鎖線で示す球状の外面２３ａとすることもできる。
また、ノズル２０の散液孔２６から噴出する水の反作用による力のモーメントは加算されるように、複数の散液孔２６が形成されているが、これに限定されず、複数の散液孔２６において噴出する水の反作用による力のモーメントの和がゼロにならなければよい。この場合、ノズル２０は、前記力のモーメントの和によって回転する。
また、水道水をノズル２０の散液孔２６から噴出させているが、これに限らず、水道水以外の水、洗剤を混ぜた水、洗剤液等を散液孔２６から噴出させることができる。
また、図５においては、小便器５５のみが示され、大便器は示されていないが、これに限定されず、大便用の個室にも散液装置１０を設置することができる。
【００１６】
【発明の効果】
本願の請求項１記載の発明によれば、散液装置のノズルから液を噴出させるときに、その反作用でノズルが回転するので、ノズルから噴出する液の方向を回転させつつ、散液することができる。このため、例えば公共トイレの内部の広い範囲にわたって散液することができるので、この散液装置は、公共トイレの内部の洗浄に適したものとなる。さらに、散液方向を回転させるのに、散液する水流の反作用を利用しているので、モータ等の駆動源が不要である。このため、構造が簡単で、保守が容易となる。
【００１７】
さらに、請求項２記載の発明によれば、上記請求項１記載の発明の効果とともに、ノズルの先端部側に傾斜した方向からノズルの基部側に傾斜した方向まで液を噴出させることができる。このため、広い範囲にわたって液を撒くことができる。
【図面の簡単な説明】
【図１】本発明の実施の形態に係わる散液装置を示す正面図である。
【図２】図１のＩＩ−ＩＩ断面を示す断面図である。
【図３】図２のノズルの回転を説明する説明図である。
【図４】図２のＩＶ−ＩＶ断面を示す断面図である。
【図５】本発明の実施の形態に係わる散液装置を公共トイレに設置した例を示す説明図である。
【符号の説明】
１０　散液装置
２０　ノズル
２１　ノズルの基部
２２　ノズルの先端部
２３、２３ａ　ノズルの外面
２４　ノズルの内面
２６　散液孔
２７　ノズルの回転中心軸
３０　軸受
４０　導管
【図１】
2004074099.tif 000003
【図２】
2004074099.tif 000004
【図３】
2004074099.tif 000005
【図４】
2004074099.tif 000006
【図５】
2004074099.tif 000007